(57)【要約】【課題】各ＶｏＩＰ−ＴＡにＣＬＫ同期ポートを備えることなく、各ＶｏＩＰ−ＴＡ間のクロック同期を取ることを可能にし、各ＶｏＩＰ−ＴＡとビジネスフォン主装置との間のＢＲＩ通信に障害が生じることがないＶｏＩＰ−ＴＡを提供する。【解決手段】内蔵する自クロックであるＰＬＬ１５のクロック同期を行う際の基準となる基準クロックを有する機器として予め特定されたマスタＶｏＩＰ−ＴＡを示す接続先情報を用いて、擬似ＶｏＩＰセッション管理部１６により、マスタＶｏＩＰ−ＴＡとの間のクロック同期用の擬似ＶｏＩＰセッションを設定し、該擬似ＶｏＩＰセッションにおけるマスタＶｏＩＰ−ＴＡとの間のＶｏＩＰベースの通信状況としてジッタ吸収用のジッタバッファ１２に蓄積されるパケット量をクロック偏差検出部１９にて監視した結果に基づいて、自クロックをマスタＶｏＩＰ−ＴＡの基準クロックに同期化する。【選択図】        図２
2018166319.tif 000002
【特許請求の範囲】
【請求項１】
ＩＳＤＮ（Integrated  Service  Digital  Network）規格準拠のＢＲＩ（Basic  Rate  Interface）ベースの信号とＶｏＩＰ（Voice  over  Internet  Protocol）ベースの信号との間の変換を行うＶｏＩＰ−ＴＡ(ＴＡ：ターミナルアダプタ)であって、
内蔵する自クロックの同期を行う対象のＶｏＩＰ−ＴＡであるか否かを示す同期種別をあらかじめ設定する機能を有する同期種別設定手段と、
前記同期種別が、内蔵する前記自クロックの同期化を行う対象となるスレーブＶｏＩＰ−ＴＡであった場合に、前記自クロックのクロック同期を行う際の基準となる基準クロックを有する機器としてあらかじめ特定されたマスタＶｏＩＰ−ＴＡを示す接続先情報を用いて、前記マスタＶｏＩＰ−ＴＡとの間のクロック同期用の擬似ＶｏＩＰセッションを設定する機能を有する擬似ＶｏＩＰセッション管理手段と
を有し、
前記擬似ＶｏＩＰセッション管理手段にて設定された前記擬似ＶｏＩＰセッションにおける前記マスタＶｏＩＰ−ＴＡとの間のＶｏＩＰベースの通信状況の監視結果に基づいて、前記自クロックを前記マスタＶｏＩＰ−ＴＡの前記基準クロックに同期化することを特徴とするＶｏＩＰ−ＴＡ。
【請求項２】
前記擬似ＶｏＩＰセッションにおける前記マスタＶｏＩＰ−ＴＡとの間のＶｏＩＰベースの通信状況を監視する対象として、ＶｏＩＰベースのパケットの時間的な揺らぎを吸収するために備えられているジッタバッファに蓄積されるパケット量を監視し、該パケット量の監視結果に基づいて、前記自クロックと前記マスタＶｏＩＰ−ＴＡの前記基準クロックとの間のクロック偏差を検出するクロック偏差検出手段を備え、
前記クロック偏差検出手段により検出した前記クロック偏差に基づいて、該クロック偏差を解消させるように、前記自クロックの発振周波数を補正することを特徴とする請求項１に記載のＶｏＩＰ−ＴＡ。
【請求項３】
前記クロック偏差検出手段が、前記自クロックの発振周波数を補正する契機として、あらかじめ定めた同期完了推定時間閾値に相当する時間が経過するまでの間に、前記ジッタバッファのバッファオーバーランもしくはバッファアンダーランが発生したことを検出するか、または、前記ジッタバッファに蓄積されたパケット量の増減速度が、あらかじめ定めた同期完了推定速度閾値の速度範囲を超えていたことを検出するか、のいずれかを用いることを特徴とする請求項２に記載のＶｏＩＰ−ＴＡ。
【請求項４】
前記クロック偏差検出手段が、前記ジッタバッファのバッファオーバーラン、または、前記ジッタバッファに蓄積されたパケット量の増加速度が前記同期完了推定速度閾値の速度範囲を超えたことを検出した際に、前記自クロックの発振周波数を速くするように補正し、前記ジッタバッファのバッファアンダーラン、または、前記ジッタバッファに蓄積されたパケット量の減少速度が前記同期完了推定速度閾値の速度範囲を超えたことを検出した際に、前記自クロックの発振周波数を遅くするように補正することを特徴とする請求項３に記載のＶｏＩＰ−ＴＡ。
【請求項５】
前記自クロックの発振周波数を補正する補正量は、前記ジッタバッファのバッファオーバーランもしくはバッファアンダーランが発生するまでに経過した時間、または、前記ジッタバッファに蓄積されたパケット量の増減速度と前記同期完了推定速度閾値との両者の速度偏差の大きさ、に基づいて決定されることを特徴とする請求項３または４に記載のＶｏＩＰ−ＴＡ。
【請求項６】
前記クロック偏差検出手段が、前記同期完了推定時間閾値に相当する時間が経過するまでの間に、前記ジッタバッファのバッファオーバーランもしくはバッファアンダーランの発生を検出しなかった場合、または、前記ジッタバッファに蓄積されたパケット量の増減速度が前記同期完了推定速度閾値の速度範囲を超えたことを検出しなかった場合、前記擬似ＶｏＩＰセッション管理手段は、前記マスタＶｏＩＰ−ＴＡとの間に設定されていた前記擬似ＶｏＩＰセッションを開放することを特徴とする請求項３ないし５のいずれかに記載のＶｏＩＰ−ＴＡ。
【請求項７】
前記同期種別設定手段として、電源がオンになった際に、前記マスタＶｏＩＰ−ＴＡまたは前記スレーブＶｏＩＰ−ＴＡのいずれであるかを示す同期種別に関する情報、および、前記擬似ＶｏＩＰセッションを設定する際に用いる前記マスタＶｏＩＰ−ＴＡを示す前記接続先情報の保守・管理を行うユーザに問い合わせる同期設定Ｗｅｂ画面を、該保守・管理を行うユーザが使用する保守用機器に画面表示させる機能を有するＷｅｂ設定画面制御手段を備え、
前記保守用機器からの応答に基づいて、前記マスタＶｏＩＰ−ＴＡを特定し、かつ、前記マスタＶｏＩＰ−ＴＡを示す前記接続先情報を取得することを特徴とする請求項１ないし６のいずれかに記載のＶｏＩＰ−ＴＡ。
【請求項８】
前記マスタＶｏＩＰ−ＴＡを示す前記接続先情報が、前記マスタＶｏＩＰ−ＴＡの電話番号またはＩＰアドレスもしくはＭＡＣアドレスのいずれかであることを特徴とする請求項７に記載のＶｏＩＰ−ＴＡ。
【請求項９】
ＩＳＤＮ（Integrated  Service  Digital  Network）規格準拠のＢＲＩ（Basic  Rate  Interface）ベースの信号を用いてクロック同期した状態で通信を行う複数のＩＳＤＮ回線それぞれに、該ＢＲＩベースの信号とＶｏＩＰ（Voice  over  Internet  Protocol）ベースの信号との間の変換を行うＶｏＩＰ−ＴＡを接続して、複数のＶｏＩＰアクセス回線を用いてＶｏＩＰ通信を行うビジネスフォンであって、
複数の前記ＶｏＩＰ−ＴＡのうち、いずれか１台を各前記ＶｏＩＰ−ＴＡ間のクロック同期を行う際の基準となる基準クロックを有する機器としてあらかじめ特定されたマスタＶｌｏＩＰ−ＴＡとし、残りの他のＶｏＩＰ−ＴＡを、それぞれに内蔵する自クロックを前記マスタＶｏＩＰ−ＴＡの前記基準クロックに合わせるように同期化を行う対象となるスレーブＶｏＩＰ−ＴＡとし、かつ、前記マスタＶｏＩＰ−ＴＡと前記スレーブＶｏＩＰ−ＴＡそれぞれとの間に、クロック同期用の擬似ＶｏＩＰセッションを設定することにより、各前記スレーブＶｏＩＰ−ＴＡの前記自クロックを、前記マスタＶｏＩＰ−ＴＡの前記基準クロックに同期化することを特徴とするビジネスフォン。
【請求項１０】
ＩＳＤＮ（Integrated  Service  Digital  Network）規格準拠のＢＲＩ（Basic  Rate  Interface）ベースの信号とＶｏＩＰ（Voice  over  Internet  Protocol）ベースの信号との間の変換を行うＶｏＩＰ−ＴＡに内蔵されるクロックを同期させるためのクロック同期方法であって、
内蔵する自クロックの同期を行う対象のＶｏＩＰ−ＴＡであるか否かを示す同期種別をあらかじめ設定する機能を有する同期種別設定ステップと、
前記同期種別が、内蔵する前記自クロックの同期化を行う対象となるスレーブＶｏＩＰ−ＴＡであった場合に、前記自クロックのクロック同期を行う際の基準となる基準クロックを有する機器としてあらかじめ特定されたマスタＶｏＩＰ−ＴＡを示す接続先情報を用いて、前記マスタＶｏＩＰ−ＴＡとの間のクロック同期用の擬似ＶｏＩＰセッションを設定する機能を有する擬似ＶｏＩＰセッション管理ステップと
を有し、
前記擬似ＶｏＩＰセッション管理ステップにて設定された前記擬似ＶｏＩＰセッションにおける前記マスタＶｏＩＰ−ＴＡとの間のＶｏＩＰベースの通信状況の監視結果に基づいて、前記自クロックを前記マスタＶｏＩＰ−ＴＡの前記基準クロックに同期化することを特徴とするクロック同期方法。
【発明の詳細な説明】
【技術分野】
【０００１】
本発明は、ＩＳＤＮ（Integrated  Service  Digital  Network）規格準拠のＢＲＩ（Basic  Rate  Interface）ベースの信号とＶｏＩＰ（Voice  over  Internet  Protocol）ベースの信号との間の変換を行うＶｏＩＰ−ＴＡ(ＴＡ：ターミナルアダプタ)、ビジネスフォンおよび該ＶｏＩＰ−ＴＡにおけるクロック同期方法に関する。
【背景技術】
【０００２】
市場には、図５に示すように、ＩＳＤＮ回線を利用した電話機能を提供するビジネスフォン主装置が存在する。さらに、ＩＳＤＮ回線を多数収容し、多くの電話回線を扱うことができるようにしたビジネスフォン主装置も多数存在している。図５は、本発明に関連する現状の技術においてビジネスフォンがＩＳＤＮ回線を利用して通信を行う場合の接続構成例を示す模式図である。図５に示すように、ビジネスフォン主装置２Ａには、複数のＩＳＤＮ回線が接続されている。そして、ビジネスフォン主装置２Ａに収容された複数のキーテレフォンそれぞれが電話回線を使う際に、ビジネスフォン主装置２Ａに搭載された複数のＢＲＩユニット２０Ａそれぞれにおいて生成されるＢＲＩ信号により、クロック同期が取られた状態で、対応するそれぞれのＩＳＤＮ回線を同期してＩＳＤＮアクセス回線網４に接続される。なお、ＢＲＩ信号は、ＩＳＤＮの標準規格として規定されている信号であり、クロック同期を前提とするＩＳＤＮ回線におけるＢＲＩインタフェースを形成している。
【０００３】
しかし、昨今は、ＩＳＤＮ回線からＩＰ（Internet  Protocol）回線への移行が進んでおり、ＶｏＩＰ（Voice  over  Internet  Protocol）技術により電話機能のサービスが提供されるようになってきている。 ビジネスフォン主装置をＩＰ回線（すなわちＶｏＩＰアクセス回線）に接続するためには、図６に示すような、ＩＰ信号とＢＲＩ信号との間の変換を行うＶｏＩＰ−ＴＡ（ＶｏＩＰターミナルアダプタ)をビジネスフォン主装置に接続することが必要である。図６は、本発明に関連する現状の技術においてビジネスフォンがＶｏＩＰ回線を利用して通信を行う場合の接続構成例を示す模式図である。図６に示すように、複数のキーテレフォンそれぞれが電話回線を使う際に、ビジネスフォン主装置２Ａに搭載された複数のＢＲＩユニット２０ＡそれぞれからのＢＲＩ信号は、クロック同期を取った状態でＩＳＤＮ回線を介してＶｏＩＰ−ＴＡ１Ａに出力された後、ＶｏＩＰ−ＴＡ１ＡにおいてＩＰ信号（ＶｏＩＰ信号）として生成し直して、ＶｏＩＰアクセス回線を介してＶｏＩＰアクセス回線網３に出力される。
【０００４】
図５に示すＩＳＤＮ回線の場合は、ＩＳＤＮアクセス回線網４上においてすべてのＩＳＤＮアクセス回線間のクロック同期が取られている状態にある。しかし、図６のＶｏＩＰ−ＴＡ１Ａを介したＶｏＩＰアクセス回線の場合には、各ＶｏＩＰアクセス回線の間のクロック同期が取られていないため、それぞれのＶｏＩＰ−ＴＡ１Ａの自走クロックによって互いに独立したタイミングで動作することになる。その結果、自走クロックで動作している各ＶｏＩＰ−ＴＡ１Ａがビジネスフォン主装置２Ａ向けのＩＳＤＮ回線に対して出力するＢＲＩ信号は、各ＩＳＤＮ回線間のクロック同期が取られていない状態になってしまう。したがって、自走クロックによって動作する各ＶｏＩＰ−ＴＡ１Ａを、同一のビジネスフォン主装置２Ａに収容している場合、各ＶｏＩＰ−ＴＡ１ＡのＢＲＩインタフェースすなわちＩＳＤＮ回線は、クロック同期が取られていない状態にあるので、ビジネスフォン主装置２Ａの各ＢＲＩユニット２０ＡにおけるＢＲＩインタフェースの動作タイミングにズレが生じて、ＢＲＩインタフェースの同期外れが発生し、通信障害が生じることになる。
【０００５】
かくのごとき通信障害を解決するためには、各ＶｏＩＰ−ＴＡ１Ａは、図７に示すように、ＶｏＩＰ−ＴＡ１Ａ同士でクロック同期を取り、各ＶｏＩＰ−ＴＡのＢＲＩインタフェースが、互いのクロック同期が取られている状態にすることが必要である。かかるクロック同期を取るために、現状の技術においては、各ＶｏＩＰ−ＴＡ１Ａに、特許文献１の特開２００７−２８１７３０号公報「ＶｏＩＰシステム」等に記載されているようなＣＬＫ（Ｃｌｏｃｋ：クロック）同期ポートを具備し、各ＶｏＩＰ−ＴＡ１Ａ間のクロック同期を取るためのケーブル接続を行う構成を採用している場合が、一般的である。図７は、本発明に関連する現状の技術においてビジネスフォンがＶｏＩＰ回線を利用して通信を行う場合の図６とは異なる接続構成例を示す模式図であり、前記ＣＬＫ同期ポートを各ＶｏＩＰ−ＴＡ１Ａ内に備えている場合を示している。図７においては、各ＶｏＩＰ−ＴＡ１Ａ間の矢印付き破線で示すように、各ＶｏＩＰ−ＴＡ１Ａ内に具備されたＣＬＫ（クロック）同期ポート１６Ａを使用することにより、最も左側のＶｏＩＰ−ＴＡ１Ａの自走クロックに、他のＶｏＩＰ−ＴＡ１Ａ内のクロックを同期化させるように、他のＶｏＩＰ−ＴＡ１Ａ内のクロックの周波数を調整している場合を示している。
【０００６】
図８は、図７に示したＶｏＩＰ−ＴＡ１Ａの内部構成の一例を示すブロック構成図であり、本発明に関連する現状の技術を適用したＶｏＩＰ−ＴＡの構成例を示している。図８に示すように、ＶｏＩＰ−ＴＡ１Ａには、各ＶｏＩＰ−ＴＡ１Ａ間のクロック同期を取るために、各ＶｏＩＰ−ＴＡ１Ａ内の自クロックを出力するＰＬＬ１５Ａの発振周波数を調整するためのＣＬＫ同期ポート１６Ａが備えられていて、各ＶｏＩＰ−ＴＡ１Ａ間をケーブル接続するようにしている。
【０００７】
しかしながら、ＣＬＫ同期ポート１６Ａを各ＶｏＩＰ−ＴＡ１Ａに用意することは、接続工事の手間や接続ケーブルのコスト、ＣＬＫ同期ポート１６Ａを用意することによる装置コストの増加に繋がるという問題が生じる。
【先行技術文献】
【特許文献】
【０００８】
【特許文献１】特開２００７−２８１７３０号公報
【発明の概要】
【発明が解決しようとする課題】
【０００９】
前述したように、前記特許文献１等の本発明に関連する現状の技術においては、ＶｏＩＰ−ＴＡ同士でクロック同期を取るために、各ＶｏＩＰ−ＴＡにＣＬＫ同期ポートを具備するようにしているが、その結果として、接続工事の手間や接続ケーブルのコスト、ポートを用意することによる装置コストの増加、等の問題が生じている。
【００１０】
（本発明の目的）
本発明は、かかる問題に鑑みてなされたものであり、各ＶｏＩＰ−ＴＡにＣＬＫ同期ポートを具備することなく、各ＶｏＩＰ−ＴＡ間のクロック同期を取ることを可能にし、各ＶｏＩＰ−ＴＡとビジネスフォン主装置との間のＢＲＩ通信に障害が生じることがないＶｏＩＰ−ＴＡ、ビジネスフォンおよびクロック同期方法を提供することを、その目的としている。
【課題を解決するための手段】
【００１１】
前述の課題を解決するため、本発明によるＶｏＩＰ−ＴＡ、ビジネスフォンおよびクロック同期方法は、主に、次のような特徴的な構成を採用している。
【００１２】
（１）本発明によるＶｏＩＰ−ＴＡは、
ＩＳＤＮ（Integrated  Service  Digital  Network）規格準拠のＢＲＩ（Basic  Rate  Interface）ベースの信号とＶｏＩＰ（Voice  over  Internet  Protocol）ベースの信号との間の変換を行うＶｏＩＰ−ＴＡ(ＴＡ：ターミナルアダプタ)であって、
内蔵する自クロックの同期を行う対象のＶｏＩＰ−ＴＡであるか否かを示す同期種別をあらかじめ設定する機能を有する同期種別設定手段と、
前記同期種別が、内蔵する前記自クロックの同期化を行う対象となるスレーブＶｏＩＰ−ＴＡであった場合に、前記自クロックのクロック同期を行う際の基準となる基準クロックを有する機器としてあらかじめ特定されたマスタＶｏＩＰ−ＴＡを示す接続先情報を用いて、前記マスタＶｏＩＰ−ＴＡとの間のクロック同期用の擬似ＶｏＩＰセッションを設定する機能を有する擬似ＶｏＩＰセッション管理手段と
を有し、
前記擬似ＶｏＩＰセッション管理手段にて設定された前記擬似ＶｏＩＰセッションにおける前記マスタＶｏＩＰ−ＴＡとの間のＶｏＩＰベースの通信状況の監視結果に基づいて、前記自クロックを前記マスタＶｏＩＰ−ＴＡの前記基準クロックに同期化することを特徴とする。
【００１３】
（２）本発明によるビジネスフォンは、
ＩＳＤＮ（Integrated  Service  Digital  Network）規格準拠のＢＲＩ（Basic  Rate  Interface）ベースの信号を用いてクロック同期した状態で通信を行う複数のＩＳＤＮ回線それぞれに、該ＢＲＩベースの信号とＶｏＩＰ（Voice  over  Internet  Protocol）ベースの信号との間の変換を行うＶｏＩＰ−ＴＡを接続して、複数のＶｏＩＰアクセス回線を用いてＶｏＩＰ通信を行うビジネスフォンであって、
複数の前記ＶｏＩＰ−ＴＡのうち、いずれか１台を各前記ＶｏＩＰ−ＴＡ間のクロック同期を行う際の基準となる基準クロックを有する機器としてあらかじめ特定されたマスタＶｌｏＩＰ−ＴＡとし、残りの他のＶｏＩＰ−ＴＡを、それぞれに内蔵する自クロックを前記マスタＶｏＩＰ−ＴＡの前記基準クロックに合わせるように同期化を行う対象となるスレーブＶｏＩＰ−ＴＡとし、かつ、前記マスタＶｏＩＰ−ＴＡと前記スレーブＶｏＩＰ−ＴＡそれぞれとの間に、クロック同期用の擬似ＶｏＩＰセッションを設定することにより、各前記スレーブＶｏＩＰ−ＴＡの前記自クロックを、前記マスタＶｏＩＰ−ＴＡの前記基準クロックに同期化することを特徴とする。
【００１４】
（３）本発明によるクロック同期方法は、
ＩＳＤＮ（Integrated  Service  Digital  Network）規格準拠のＢＲＩ（Basic  Rate  Interface）ベースの信号とＶｏＩＰ（Voice  over  Internet  Protocol）ベースの信号との間の変換を行うＶｏＩＰ−ＴＡに内蔵されるクロックを同期させるためのクロック同期方法であって、
内蔵する自クロックの同期を行う対象のＶｏＩＰ−ＴＡであるか否かを示す同期種別をあらかじめ設定する機能を有する同期種別設定ステップと、
前記同期種別が、内蔵する前記自クロックの同期化を行う対象となるスレーブＶｏＩＰ−ＴＡであった場合に、前記自クロックのクロック同期を行う際の基準となる基準クロックを有する機器としてあらかじめ特定されたマスタＶｏＩＰ−ＴＡを示す接続先情報を用いて、前記マスタＶｏＩＰ−ＴＡとの間のクロック同期用の擬似ＶｏＩＰセッションを設定する機能を有する擬似ＶｏＩＰセッション管理ステップと
を有し、
前記擬似ＶｏＩＰセッション管理ステップにて設定された前記擬似ＶｏＩＰセッションにおける前記マスタＶｏＩＰ−ＴＡとの間のＶｏＩＰベースの通信状況の監視結果に基づいて、前記自クロックを前記マスタＶｏＩＰ−ＴＡの前記基準クロックに同期化することを特徴とする。
【発明の効果】
【００１５】
本発明のＶｏＩＰ−ＴＡ、ビジネスフォンおよびクロック同期方法によれば、以下のような効果を奏することができる。
【００１６】
同一のビジネスフォンの主装置に複数台のＶｏＩＰ−ＴＡを収容する際に、本発明に関連する現状の技術において必須とされているＣＬＫ（クロック）同期ポートを各ＶｏＩＰ−ＴＡに具備することなく、各ＶｏＩＰ−ＴＡ間のクロック同期を確実に取ることができ、各ＶｏＩＰ−ＴＡ間のクロック偏差によるＢＲＩインタフェースの同期外れを確実に回避することができる。その理由は、クロック同期を行う際の基準のクロックを有する機器すなわちマスタＶｏＩＰ−ＴＡとしてあらかじめ特定された１台のＶｏＩＰ−ＴＡと、内蔵した自クロックのクロック同期化の対象となるスレーブＶｏＩＰ−ＴＡである他のＶｏＩＰ−ＴＡと、の間でクロック同期用の擬似ＶｏＩＰセッションを設定して、ＩＰベースで、各スレーブＶｏＩＰ−ＴＡそれぞれに内蔵する自クロックをマスタＶｏＩＰ−ＴＡに備えた基準のクロックに同期化させるクロック同期処理を実施していることにある。
【００１７】
而して、本発明においては、ＣＬＫ同期ポート具備によるＶｏＩＰ−ＴＡの装置コストの増加のみならず、ＣＬＫ同期ポート具備に伴う各ＶｏＩＰ−ＴＡの接続工事の手間や接続ケーブルのコスト増加といった、本発明に関連する現状の技術における解決するべき課題を解決することができる。
【図面の簡単な説明】
【００１８】
【図１】本発明に係るビジネスフォンがＶｏＩＰ回線を利用して通信を行う場合の接続構成の一例を示す模式図である。
【図２】本発明に係るＶｏＩＰ−ＴＡの内部構成の一例を示すブロック構成図である。
【図３】本発明の一実施形態として図２に示したＶｏＩＰ−ＴＡの動作の一例を説明するフローチャートである。
【図４】保守・管理用のＰＣ上に画面表示される同期設定Ｗｅｂ画面の一例を示す模式図である。
【図５】本発明に関連する現状の技術においてビジネスフォンがＩＳＤＮ回線を利用して通信を行う場合の接続構成例を示す模式図である。
【図６】本発明に関連する現状の技術においてビジネスフォンがＶｏＩＰ回線を利用して通信を行う場合の接続構成例を示す模式図である。
【図７】本発明に関連する現状の技術においてビジネスフォンがＶｏＩＰ回線を利用して通信を行う場合の図６とは異なる接続構成例を示す模式図である。
【図８】図７に示したＶｏＩＰ−ＴＡの内部構成の一例を示すブロック構成図である。
【発明を実施するための形態】
【００１９】
以下、本発明によるＶｏＩＰ−ＴＡ、ビジネスフォンおよびクロック同期方法の好適な実施形態について添付図を参照して説明する。なお、以下の各図面に付した図面参照符号は、理解を助けるための一例として各要素に便宜上付記したものであり、本発明を図示の態様に限定することを意図するものではないことも言うまでもない。
【００２０】
（本発明の特徴）
本発明の実施形態の説明に先立って、本発明の特徴についてその概要をまず説明する。本発明は、ビジネスフォンがＶｏＩＰ回線を利用するために複数のＶｏＩＰ−ＴＡをビジネスフォン主装置に接続する場合に関し、同一ビジネスフォン主装置に接続する各ＶｏＩＰ−ＴＡ間のクロック同期をＩＰベースで取ることにより、本発明に関連する現状の技術においては必須であったＣＬＫ（クロック）同期ポートの各ＶｏＩＰ−ＴＡへの具備を不要とすることを、主要な特徴としている。而して、ＶｏＩＰ−ＴＡの装置コスト、設置工事の手間の削減を図ることができる。
【００２１】
より具体的には、本発明は、以下に説明するような手順を用いて、ＶｏＩＰ−ＴＡ間のクロック同期を取ることを主要な特徴としている。
【００２２】
（１）まず、ビジネスフォンの主装置に接続される複数台のＶｏＩＰ−ＴＡそれぞれの電源をＯＮ（オン）した際に、複数台のＶｏＩＰ−ＴＡのうち、各ＶｏＩＰ−ＴＡのクロック同期を取るための基準になる基準クロックを有する１台のＶｏＩＰ−ＴＡを同期先ＶｏＩＰ−ＴＡ（すなわちマスタＶｏＩＰ−ＴＡ）として特定し、残りのＶｏＩＰ−ＴＡを、それぞれに内蔵する自クロックを該同期先ＶｏＩＰ−ＴＡの基準クロックに同期を合わせる対象となる同期化ＶｏＩＰ−ＴＡ（すなわちスレーブＶｏＩＰ−ＴＡ）として決定する。
【００２３】
（２）特定した１台の同期先ＶｏＩＰ−ＴＡに対して、各同期化ＶｏＩＰ−ＴＡそれぞれからクロック同期用のＩＰベースの疑似ＶｏＩＰセッションを設定する。
【００２４】
（３）設定された擬似ＶｏＩＰセッションにおける同期化ＶｏＩＰ−ＴＡと各同期先ＶｏＩＰ−ＴＡとの間のＶｏＩＰ通信実施中において、各同期化ＶｏＩＰ−ＴＡそれぞれは、ジッタ吸収用として備えたジッタバッファに蓄積されたパケット量の監視を行う。各同期化ＶｏＩＰ−ＴＡそれぞれと同期先ＶｏＩＰ−ＴＡとの間にクロック偏差が存在する場合には、ＶｏＩＰ通信を継続していると、各同期化ＶｏＩＰ−ＴＡそれぞれのジッタバッファのバッファオーバーランもしくはバッファアンダーランが発生する。
【００２５】
（４）各同期化ＶｏＩＰ−ＴＡのうち、いずれかの同期化ＶｏＩＰ−ＴＡのジッタバッファにバッファオーバーランが発生した場合または蓄積したパケット量の増加速度があらかじめ定めた速度範囲を超えた場合には、当該同期化ＶｏＩＰ−ＴＡに内蔵された自クロックが、擬似ＶｏＩＰセッションにおける対向のＶｏＩＰ−ＴＡ（同期先ＶｏＩＰ−ＴＡ）の基準クロックよりも遅い場合であるので、当該同期化ＶｏＩＰ−ＴＡの自クロックを速くする補正を行う。
【００２６】
（５）各同期化ＶｏＩＰ−ＴＡのうち、いずれかの同期化ＶｏＩＰ−ＴＡのジッタバッファにバッファアンダーランが発生した場合または蓄積したパケット量の減少速度があらかじめ定めた速度範囲を超えた場合には、当該同期化ＶｏＩＰ−ＴＡ内蔵された自クロックが、擬似ＶｏＩＰセッションにおける対向のＶｏＩＰ−ＴＡ（同期先ＶｏＩＰ−ＴＡ）の基準クロックよりも速い場合であるので、当該同期化ＶｏＩＰ−ＴＡの自クロックを遅くする補正を行う。
【００２７】
（６）なお、当該同期化ＶｏＩＰ−ＴＡの自クロックをどの程度速くするかまたは遅くするかの補正値（調整値）については、バッファオーバーランもしくはバッファアンダーランが発生するまでに経過したＶｏＩＰ通信時間、または、蓄積したパケット量の増減速度と速度閾値との速度差（すなわち、いずれもクロック偏差の大きさを示している）に基づいて決定する。
【００２８】
かくのごとき自クロックの補正動作を行うことにより、各同期化ＶｏＩＰ−ＴＡの自クロックを、同期先ＶｏＩＰ−ＴＡの基準クロックと同期させることができ、対象となる各ＶｏＩＰ−ＴＡ間のクロック同期を取ることができるので、ＢＲＩインタフェースにおけるタイミングのズレに伴う通信障害の発生を確実に回避することができる。
【００２９】
（本発明の実施形態の構成例）
次に、本発明に係るＶｏＩＰ−ＴＡの接続構成の一例について、図１を参照して説明する。図１は、本発明に係るビジネスフォンがＶｏＩＰ回線を利用して通信を行う場合の接続構成の一例を示す模式図であり、同一ビジネスフォンの主装置に収容される複数のＶｏＩＰ−ＴＡの接続構成の一例を示している。図１に示す接続構成は、本発明に関連する現状の技術として図６に示した接続構成と同様であり、複数のキーテレフォンそれぞれが電話回線を使う際に、ビジネスフォン主装置２に搭載されたＢＲＩユニット２０それぞれからのＢＲＩ信号は、クロック同期を取った状態でＩＳＤＮ回線を介してＶｏＩＰ−ＴＡ１に出力された後、ＶｏＩＰ−ＴＡ１において、ＶｏＩＰ信号に変換されて、それぞれのＶｏＩＰアクセス回線を介してＶｏＩＰアクセス回線網３に出力される。
【００３０】
ここで、ビジネスフォンの本体であるビジネスフォン主装置２は、本発明に関連する現状のビジネスフォン主装置２Ａと全く同様の構成からなる装置であって、ＩＳＤＮ回線に接続して電話機能を実現する装置であり、ＩＳＤＮ回線と接続するためのＢＲＩインタフェースを提供する（すなわち、ＩＳＤＮ規格準拠のＢＲＩ信号を生成する）ＢＲＩユニット２０を具備している。
【００３１】
また、ＶｏＩＰ−ＴＡ１は、ＶｏＩＰアクセス回線網３に接続するＶｏＩＰアクセス回線と通信するためのＥｔｈｅｒｎｅｔのＷＡＮ（Wide  Area  Network）インタフェース（すなわちＶｏＩＰ信号を生成する機能）およびビジネスフォン主装置２とＩＳＤＮ回線を介して接続するためのＢＲＩインタフェース（すなわちＢＲＩ信号を生成する機能）と、ＩＰ信号とＢＲＩ信号との間の変換を行う機能とを具備している。さらには、詳細は後述するが、本発明に関連する現状のＶｏＩＰ−ＴＡ１Ａとは異なる本発明に特有な仕組みを用いて、ビジネスフォン主装置２に収容される複数のＶｏＩＰ−ＴＡ１間のクロック同期をＩＰベースで取る機能も具備している。
【００３２】
次に、図１に示したＶｏＩＰ−ＴＡ１の内部構成について、図２を参照して詳細に説明する。図２は、本発明に係るＶｏＩＰ−ＴＡの内部構成の一例を示すブロック構成図であり、図１に示したＶｏＩＰ−ＴＡ１の内部構成の一例を示している。
【００３３】
図２に示すように、ＶｏＩＰ−ＴＡ１は、ＷＡＮインタフェース１０、ＲＴＰ制御部１１、ジッタバッファ１２、Ｃｏｄｅｃ１３、ＩＳＡＣ（ＢＲＩＦ）１４、ＰＬＬ１５、擬似ＶｏＩＰセッション管理部１６、Ｗｅｂ設定画面制御部１７、ＬＡＮ（Local  Area  Network）インタフェース１８、クロック偏差検出部１９、の各構成要素を少なくとも含んで構成される。つまり、図２に示す本実施形態に係るＶｏＩＰ−ＴＡ１は、本発明に関連する現状のＶｏＩＰ−ＴＡとして図８に示したＶｏＩＰ−ＴＡ１Ａに対して、ＣＬＫ同期ポート１６Ａを削除する代わりに、擬似ＶｏＩＰセッション管理部１６、Ｗｅｂ設定画面制御部１７、ＬＡＮインタフェース１８、クロック偏差検出部１９の各構成要素を追加した構成を採用している。
【００３４】
ＷＡＮインタフェース１０は、ＩＰ信号を用いてＶｏＩＰアクセス回線と通信するためのインタフェースを提供する構成要素であり、ＶｏＩＰパケットを送受信するためのＥｔｈｅｒｎｅｔインタフェースを有している。ＲＴＰ制御部１１は、リアルタイムにパケットの送受信を行うためのプロトコルとしてＲＴＰ（Real-time  Transport  Protocol）と称するプロトコルを用いてパケットの送受信を行う動作を制御する構成要素であり、ＶｏＩＰパケットを、ＲＴＰプロトコルを用いて、あらかじめ定められた時間間隔（一般的には２０ｍｓ毎の時間間隔）で送受信を行うように制御している。
【００３５】
ジッタバッファ１２は、ＩＰベースのＶｏＩＰアクセス回線で生じるパケットの時間的な揺らぎを吸収するために、あらかじめ定めた一定量までのパケットを蓄積するバッファである。つまり、ＲＴＰプロトコルにおいては、前述のように、あらかじめ定めた一定時間間隔でパケットの送受信を行うが、ＩＰベースのＶｏＩＰアクセス回線上においては、通信相手とのクロック偏差により、通信相手との時間的なズレが生じるので、必ずしも前記一定時間間隔では到着しなくなり、パケットの時間的な揺らぎが生じる。
【００３６】
ここで、ジッタバッファ１２においてパケットの時間的な揺らぎを吸収することができる限界を超えてしまった場合には、ジッタバッファ１２はバッファ溢れを引き起こすことになる。つまり、通信相手のＶｏＩＰ−ＴＡ１よりも自分のＶｏＩＰ−ＴＡ１内の自クロックが遅い場合には、通信相手からのパケットを受け取り切れなくなり、ジッタバッファ１２のバッファが溢れるバッファオーバーランの状態が発生する。逆に、通信相手のＶｏＩＰ−ＴＡ１よりも自分のＶｏＩＰ−ＴＡ１内の自クロックが速い場合には、処理に必要なタイミングにおいて、通信相手からのパケットが到着していない状態が発生し、ジッタバッファ１２には処理すべきパケットが全く存在していないバッファアンダーランの状態が発生する。
【００３７】
Ｃｏｄｅｃ１３は、ＶｏＩＰ用のパケットの符号化・復号を行う構成要素であり、通常、Ｇ．７１１μ−ｌａｗまたはＧ．７１１Ａ−ｌａｗ規格に基づいて符号化・復号を行う。ＩＳＡＣ１４は、ＩＳＤＮ回線上のＢＲＩ信号に含まれているパケットを取り出して、Ｃｏｄｅｃ１３に対して出力し、逆に、Ｃｏｄｅｃ１３からのパケットを受け取って、ＢＲＩ形式の信号を生成してＩＳＤＮ回線を介してビジネスフォン主装置２Ａ向けに出力するというＢＲＩインタフェースを提供する構成要素である。
【００３８】
ＰＬＬ１５は、内蔵する自クロックとしてマスタクロックを構成する構成要素であって、ＶｏＩＰ−ＴＡ１のクロックを生成する電圧制御発振器（Phase  Locked  Loop）であり、一般的には、水晶発振子等を用いてクロックを生成する。なお、自クロックの発振周波数には、印加した電圧に応じて、所望する真の周波数に対して一定量の偏差が含まれている場合が多い。
【００３９】
擬似ＶｏＩＰセッション管理部１６は、Ｗｅｂ設定画面制御部１７から入力されてくる保守・管理担当のユーザの指示に基づいて、同一ビジネスフォン主装置２に接続される複数のＶｏＩＰ−ＴＡ１間のクロックの同期化を行うための擬似ＶｏＩＰセッションを設定して管理する機能を有する構成要素である。例えば、擬似ＶｏＩＰセッション管理部１６は、自ＶｏＩＰ−ＴＡ１が、内蔵する自クロックの同期化を行う対象となるスレーブＶｏＩＰ−ＴＡであった場合、該自クロックのクロック同期を行う際の基準となる基準クロックを有する機器としてあらかじめ特定されたマスタＶｏＩＰ−ＴＡを示す接続先情報を用いて、該マスタＶｏＩＰ−ＴＡとして特定されたＶｏＩＰ−ＴＡ１との間のクロック同期用の擬似ＶｏＩＰセッションを設定する機能を少なくとも有している。
【００４０】
さらに、擬似ＶｏＩＰセッション管理部１６の動作について補足して説明する。擬似ＶｏＩＰセッション管理部１６は、例えば、Ｗｅｂ設定画面制御部１７から入力されてくる保守・管理担当のユーザの指定により、当該擬似ＶｏＩＰセッション管理部１６が搭載されたＶｏＩＰ−ＴＡ１が、内蔵された自クロックがクロック同期を行う際の基準になる基準クロックであって、該基準クロックに同一ビジネスフォン主装置２に接続される他のＶｏＩＰ−ＴＡ１それぞれのクロックを同期化させる機器としてあらかじめ特定された「同期先ＶｏＩＰ−ＴＡ」（すなわち「マスタＶｏＩＰ−ＴＡ」）であった場合には、「同期化ＶｏＩＰ−ＴＡ」（すなわち「スレーブＶｏＩＰ−ＴＡ」）側の他のＶｏＩＰ−ＴＡ１それぞれからクロック同期を行うための擬似ＶｏＩＰセッションの開始要求（設定要求）が送信されてくるのを待ち合わせる。
【００４１】
そして、「同期化ＶｏＩＰ−ＴＡ」（すなわち「スレーブＶｏＩＰ−ＴＡ」）側からの擬似ＶｏＩＰセッションの開始要求（設定要求）を受け取ると、当該「同期先ＶｏＩＰ−ＴＡ」と要求元の「同期化ＶｏＩＰ−ＴＡ」との間に、クロック同期用の擬似ＶｏＩＰセッションを張ることを許可する応答を、要求元の「同期化ＶｏＩＰ−ＴＡ」（すなわち「スレーブＶｏＩＰ−ＴＡ」）に返送する。その結果、当該「同期先ＶｏＩＰ−ＴＡ」と要求元の「同期化ＶｏＩＰ−ＴＡ」との間に、クロック同期用の擬似ＶｏＩＰセッションが設定され、「同期化ＶｏＩＰ−ＴＡ」側におけるＩＰベースでのクロック同期を行う動作が開始される。なお、該擬似ＶｏＩＰセッションは、「同期化ＶｏＩＰ−ＴＡ」側におけるクロック同期が完了するまで、継続して設定されている。
【００４２】
また、保守・管理担当のユーザの指定により、当該ＶｏＩＰ−ＴＡ１が、内蔵の自クロックを、同一ビジネスフォン主装置２に接続される他のＶｏＩＰ−ＴＡ１の中であらかじめ特定されている「同期先ＶｏＩＰ−ＴＡ」（すなわち「マスタＶｏＩＰ−ＴＡ」）が有する基準クロックに同期化させる「同期化ＶｏＩＰ−ＴＡ」（すなわち「スレーブＶｏＩＰ−ＴＡ」）としてあらかじめ設定されていた場合には、「同期先ＶｏＩＰ−ＴＡ」に対して、クロック同期を行うための擬似ＶｏＩＰセッションの開始要求（設定要求）を送信する。その結果、「同期先ＶｏＩＰ−ＴＡ」からの応答を受け取ると、擬似ＶｏＩＰセッション管理部１６は、「同期先ＶｏＩＰ−ＴＡ」の基準クロックとの間のクロック偏差を補正するためのクロック同期用の擬似ＶｏＩＰセッションを、「同期先ＶｏＩＰ−ＴＡ」との間に設定する。
【００４３】
「同期化ＶｏＩＰ−ＴＡ」において、「同期先ＶｏＩＰ−ＴＡ」との間のクロック同期用の擬似ＶｏＩＰセッションが設定されると、擬似ＶｏＩＰセッション管理部１６は、クロック同期動作を開始し、後述のクロック偏差検出部１９を起動して、ジッタバッファ１２のバッファオーバーランまたはバッファアンダーランを監視させる。
【００４４】
そして、クロック偏差検出部１９の監視結果として、ジッタバッファ１２のバッファオーバーランまたはバッファアンダーランの発生を検出すると、クロック偏差検出部１９は、「同期先ＶｏＩＰ−ＴＡ」の基準クロックに同期するように、ＰＬＬ１５が出力する当該「同期化ＶｏＩＰ−ＴＡ」の自クロックの発振周波数を補正するという、ＩＰベースでのクロック補正動作を行う。
【００４５】
ここで、擬似ＶｏＩＰセッション管理部１６は、かくのごときＩＰベースでのクロック補正動作により、「同期化ＶｏＩＰ−ＴＡ」の自クロックが基準クロックとのクロック同期が完了するまで、当該「同期化ＶｏＩＰ−ＴＡ」と「同期先ＶｏＩＰ−ＴＡ」との間のクロック同期用の擬似ＶｏＩＰセッションが設定された状態を継続する。
【００４６】
次に、Ｗｅｂ設定画面制御部１７は、ＶｏＩＰ−ＴＡ１の電源オン時に、擬似ＶｏＩＰセッション管理部１６からの指示に基づいて、ＬＡＮインタフェース１８を経由して、当該ＶｏＩＰ−ＴＡ１の自クロックの同期設定を行うための同期設定Ｗｅｂ画面を管理用機器例えばＰＣ（Personal  Computer）に画面表示して保守・管理担当のユーザに問い合わせるとともに、ユーザからの該同期設定に関する指示を受け取るまでの動作を制御するという機能を少なくとも備えた構成要素である。ここで、Ｗｅｂ設定画面制御部１７は、前記同期設定に関し、少なくとも、当該ＶｏＩＰ−ＴＡ１が、内蔵する自クロックの同期を行う対象のＶｏＩＰ−ＴＡ（すなわちスレーブＶｏＩＰ−ＴＡ）であるか否かを示す同期種別をあらかじめ設定する機能を有する同期種別設定手段を提供している。
【００４７】
ＬＡＮインタフェース１８は、ＶｏＩＰ−ＴＡ１等の機器の管理・保守用のインタフェースを提供する構成要素であり、ＬＡＮケーブルを介して、管理・保守用の管理用機器としてユーザが使用する機器例えばＰＣ等と接続し、例えば、Ｗｅｂ設定画面制御部１７からの表示指示に基づいて、前記同期設定Ｗｅｂ画面を管理用機器に画面表示させる。
【００４８】
クロック偏差検出部１９は、「同期化ＶｏＩＰ−ＴＡ」（すなわち「スレーブＶｏＩＰ−ＴＡ」）において動作が有効になる構成要素であり、ＶｏＩＰ−ＴＡ１の自クロックのズレをクロック偏差として検出する機能を有する構成要素である。そして、検出したクロック偏差に基づいて、該クロック偏差を解消させるように、ＰＬＬ１５の電圧を調整して、自クロックの発振周波数を補正する機能も有している。つまり、「同期化ＶｏＩＰ−ＴＡ」側のクロック偏差検出部１９は、擬似ＶｏＩＰセッションにおける「同期先ＶｏＩＰ−ＴＡ」（すなわち「マスタＶｏＩＰ−ＴＡ」）との間のＶｏＩＰベースの通信状況の監視結果に基づいて、自クロックを「同期先ＶｏＩＰ−ＴＡ」（すなわち「マスタＶｏＩＰ−ＴＡ」）の基準クロックに同期化する機能を有している。
【００４９】
ここで、本実施形態においては、「同期化ＶｏＩＰ−ＴＡ」側のクロック偏差検出部１９は、擬似ＶｏＩＰセッションにおける「同期先ＶｏＩＰ−ＴＡ」（すなわち「マスタＶｏＩＰ−ＴＡ」）との間のＶｏＩＰベースの通信状況として、ＶｏＩＰベースのパケットの時間的な揺らぎを吸収するために備えられているジッタバッファ１２に蓄積されるパケット量を監視し、自クロックと「同期先ＶｏＩＰ−ＴＡ」（すなわち「マスタＶｏＩＰ−ＴＡ」）の基準クロックとの間のクロック偏差を検出する場合を示している。つまり、通信相手の「同期先ＶｏＩＰ−ＴＡ」との間のクロック同期用の擬似ＶｏＩＰセッションが張られている間、ジッタバッファ１２に蓄積されたパケット量を監視し続ける場合を示している。
【００５０】
そして、監視結果として、クロック同期が完了したと推定される時間すなわち同期完了推定時間閾値が経過するまでの間に、ジッタバッファ１２のバッファオーバーランまたはバッファアンダーランが発生したことを検出した場合には、クロック偏差検出部１９は、「同期先ＶｏＩＰ−ＴＡ」の基準クロックとの間のクロック偏差が存在しているものと判断する。そして、バッファオーバーランまたはバッファアンダーランが発生するまでの経過時間に基づいて算出した補正量（調整値）を用いて、クロック偏差を解消させるように、自クロックすなわちＰＬＬ１５の発振周波数を補正する。
【００５１】
一方、クロック偏差検出部１９は、前記同期完了推定時間閾値が経過するまでの間、ジッタバッファ１２のバッファオーバーランまたはバッファアンダーランが発生しなかったことを検出した場合には、「同期先ＶｏＩＰ−ＴＡ」の基準クロックとの間のクロック同期が完了したものと推定する。その結果として、同期完了の旨を擬似ＶｏＩＰセッション管理部１６に通知することにより、当該「同期化ＶｏＩＰ−ＴＡ」と「同妃ＶｏＩＰ−ＴＡ」との間に張られていたクロック同期用の擬似ＶｏＩＰセッションは、開放されて終了することになる。
【００５２】
（本発明の実施形態の動作の説明）
次に、本発明の一実施形態として図２に示したＶｏＩＰ−ＴＡ１の動作について、図３のフローチャートを参照して詳細に説明する。図３は、本発明の一実施形態として図２に示したＶｏＩＰ−ＴＡ１の動作の一例を説明するフローチャートであり、同一ビジネスフォン主装置２に接続されている各ＶｏＩＰ−ＴＡ１のクロック同期を行う際の動作の一例を示している。
【００５３】
図３に示すフローチャートにおいて、まず、同一ビジネスフォン主装置２に接続されている各ＶｏＩＰ−ＴＡ１の電源をＯＮ（オン）にすると（ステップＳ１）、擬似ＶｏＩＰセッション管理部１６の制御の下、Ｗｅｂ設定画面制御部１７が起動された状態になり、ＬＡＮインタフェース１８を経由して、管理用機器例えばＰＣの画面上にログイン用Ｗｅｂ画面が表示される。
【００５４】
ＶｏＩＰ−ＴＡ１の保守・管理を行うユーザが、画面表示されたログイン用Ｗｅｂ画面に、当該ユーザのユーザ認証情報（ユーザＩＤ、パスワード等）を入力してログインすると（ステップＳ２）、ＶｏＩＰ−ＴＡ１のＷｅｂ設定画面制御部１７において、入力されたユーザ認証情報を確認する。ユーザ認証が得られると、Ｗｅｂ設定画面制御部１７は、ＬＡＮインタフェース１８を経由して、当該ＶｏＩＰ−ＴＡ１の同期設定として、クロック同期動作を行うための要件をあらかじめ設定するために、図４に示すような同期設定Ｗｅｂ画面を管理用機器例えばＰＣ上に画面表示して、ユーザに問い合わせる。
【００５５】
図４は、保守・管理用のＰＣ上に画面表示される同期設定Ｗｅｂ画面の一例を示す模式図である。図４に示す同期設定Ｗｅｂ画面３０は、同期種別設定欄３１と同期接続先設定欄３２とから構成されている。
【００５６】
同期種別設定欄３１は、当該ＶｏＩＰ−ＴＡ１の同期種別に関する情報を設定する欄であって、本ＶｏＩＰ−ＴＡ１が、
（１）「同期される側」：同一ビジネスフォン主装置２に接続される他のＶｏＩＰ−ＴＡ１それぞれの自クロックを本ＶｏＩＰ−ＴＡ１のクロック（つまり基準クロック）に同期化させる側の「同期先ＶｏＩＰ−ＴＡ」つまり「マスタＶｏＩＰ−ＴＡ」であることを指定する。
（２）「同期する側」：同一ビジネスフォン主装置２に接続されている「同期先ＶｏＩＰ−ＴＡ」つまり「マスタＶｏＩＰ−ＴＡ」の基準クロックに本ＶｏＩＰ−ＴＡ１の自クロックを同期化する側の「同期化ＶｏＩＰ−ＴＡ」つまり「スレーブＶｏＩＰ−ＴＡ」であることを指定する。
（３）「同期しない」：クロックの同期処理対象外のＶｏＩＰ−ＴＡ１であることを指定する。
のうちのいずれの同期種別に該当しているかをユーザに選択させる欄である。ユーザが、いずれかの同期種別を選択した後、「設定」ボタンを操作することにより、同期種別を設定登録するように構成されている。
【００５７】
また、同期接続先設定欄３２は、本ＶｏＩＰ−ＴＡ１が、「同期する側」（すなわち「同期化ＶｏＩＰ−ＴＡ」言い換えると「スレーブＶｏＩＰ−ＴＡ」）であった場合に、擬似ＶｏＩＰセッションを設定する際に用いる「同期先ＶｏＩＰ−ＴＡ」（言い換えると「マスタＶｏＩＰ−ＴＡ」）を示す情報（すなわち接続先を示す接続先情報）を設定する欄である。すなわち、クロック同期処理を行うために、クロック同期用の擬似ＶｏＩＰセッションを張るための通信相手となる接続先の「同期先ＶｏＩＰ−ＴＡ」つまり「マスタＶｏＩＰ−ＴＡ」を示す接続先情報例えば電話番号をユーザが入力した後、「接続」ボタンを操作することにより、該接続先との間にクロック同期用の擬似ＶｏＩＰセッションが張られてＩＰベースの通信を開始させるように構成されている。
【００５８】
図３のフローチャートの説明に戻って、図４に示す同期設定Ｗｅｂ画面３０が画面表示されると、ユーザは、当該ＶｏＩＰ−ＴＡ１の同期種別を同期種別設定欄３１から選択して、「設定」ボタンを操作することにより、当該ＶｏＩＰ−ＴＡ１に設定登録を指示する。ＶｏＩＰ−ＴＡ１のＷｅｂ設定画面制御部１７は、ユーザからの該設置登録の指示を受け取ると、擬似ＶｏＩＰセッション管理部１６にその旨を通知することにより、擬似ＶｏＩＰセッション管理部１６は指示された同期種別を設定登録する（ステップＳ３）。その結果、同一ビジネスフォン主装置２に接続されている複数のＶｏＩＰ−ＴＡ１のうち、いずれか１台を「同期される側」（すなわち「同期先ＶｏＩＰ−ＴＡ」言い換えると「マスタＶｏＩＰ−ＴＡ」）として設定し、その他のＶｏＩＰ−ＴＡ１を全て「同期する側」（すなわち「同期化ＶｏＩＰ−ＴＡ」言い換えると「スレーブＶｏＩＰ−ＴＡ」）として設定することになる。
【００５９】
さらに、同期設定Ｗｅｂ画面３０の同期種別を同期種別設定欄３１において「同期する側」（すなわち「同期化ＶｏＩＰ−ＴＡ」言い換えると「スレーブＶｏＩＰ−ＴＡ」）を選択して設定登録したＶｏＩＰ−ＴＡ１に関しては、ユーザは、クロック同期のために接続先とすべき「同期先ＶｏＩＰ−ＴＡ」つまり「マスタＶｏＩＰ−ＴＡ」の情報（本実施形態においては、図４に示したように、電話番号の情報）を同期接続先設定欄３２の入力欄に入力して、「接続」ボタンを操作することにより、当該ＶｏＩＰ−ＴＡ１と「同期される側」（すなわち「同期先ＶｏＩＰ−ＴＡ」言い換えると「マスタＶｏＩＰ−ＴＡ」）のＶｏＩＰ−ＴＡ１との間の接続を指示する。
【００６０】
ＶｏＩＰ−ＴＡ１のＷｅｂ設定画面制御部１７は、ユーザからの該接続の指示を受け取ると、擬似ＶｏＩＰセッション管理部１６にその旨を通知することにより、擬似ＶｏＩＰセッション管理部１６は、「スレーブＶｏＩＰ−ＴＡ」に該当するＶｏＩＰ−ＴＡ１は、クロック同期用の接続先となる「マスタＶｏＩＰ−ＴＡ」に該当するＶｏＩＰ−ＴＡ１の電話番号を設定登録する（ステップＳ４）。同時に、擬似ＶｏＩＰセッション管理部１６は、該「マスタＶｏＩＰ−ＴＡ」に該当するＶｏＩＰ−ＴＡ１との間のクロック同期用の擬似ＶｏＩＰセッションとして、同期用ＶｏＩＰセッションの開始要求を、該「マスタＶｏＩＰ−ＴＡ」に該当するＶｏＩＰ−ＴＡ１に対して送信する。しかる後、擬似ＶｏＩＰセッション管理部１６は、「マスタＶｏＩＰ−ＴＡ」に該当するＶｏＩＰ−ＴＡ１から該開始要求に対する応答を受け取ると、「スレーブＶｏＩＰ−ＴＡ」に該当するＶｏＩＰ−ＴＡ１と「マスタＶｏＩＰ−ＴＡ」に該当するＶｏＩＰ−ＴＡ１との間に、クロック同期用の擬似ＶｏＩＰセッション（同期用ＶｏＩＰセッション）を設定した状態にして、「スレーブＶｏＩＰ−ＴＡ」に該当するＶｏＩＰ−ＴＡ１を、ＩＰベースでのクロック同期動作を開始させる状態に移行させる（ステップＳ５）
【００６１】
つまり、「同期化ＶｏＩＰ−ＴＡ」つまり「スレーブＶｏＩＰ−ＴＡ」に該当するＶｏＩＰ−ＴＡ１の擬似ＶｏＩＰセッション管理部１６は、クロック偏差検出部１９を起動する。この結果、クロック偏差検出部１９は、「同期先ＶｏＩＰ−ＴＡ」つまり「マスタＶｏＩＰ−ＴＡ」に該当するＶｏＩＰ−ＴＡ１との間の同期用ＶｏＩＰセッションが継続している間、ジッタバッファ１２のバッファオーバーランまたはバッファアンダーランの発生を監視し続ける動作を開始する。「マスタＶｏＩＰ−ＴＡ」に該当するＶｏＩＰ−ＴＡ１との間のクロック偏差が存在している限り、ジッタバッファ１２のバッファオーバーランまたはバッファアンダーランが発生する。「スレーブＶｏＩＰ−ＴＡ」に該当するＶｏＩＰ−ＴＡ１のクロック偏差検出部１９が、ジッタバッファ１２のバッファオーバーランまたはバッファアンダーランの発生を検出した場合には、どの程度の時間が経過した時点でバッファオーバーラン、バッファアンダーランのいずれが発生したのかという検出情報を取得する（ステップＳ６）。
【００６２】
そして、「スレーブＶｏＩＰ−ＴＡ」に該当するＶｏＩＰ−ＴＡ１のクロック偏差検出部１９は、取得した検出情報に基づいて、当該ＶｏＩＰ−ＴＡ１内の自クロックすなわちＰＬＬ１５の発振周波数を補正して、「マスタＶｏＩＰ−ＴＡ」に該当するＶｏＩＰ−ＴＡ１のクロック（基準クロック）との間のクロック偏差の調整を行う（ステップＳ７）。
【００６３】
ここで、「スレーブＶｏＩＰ−ＴＡ」の自クロックすなわちＰＬＬ１５の発振周波数を補正する具体的な補正量（調整量）に関しては、例えば、ジッタバッファ１２の大きさを１００ｍｓｅｃ分の通信時間に相当するパケット量とした場合には、次のような補正量を適用すれば良い。
【００６４】
（Ａ）１秒間の通信時間でジッタバッファ１２のバッファオーバーランが発生した場合、０.１Ｈｚ分、対向の「マスタＶｏＩＰ−ＴＡ」よりも自「スレーブＶｏＩＰ−ＴＡ」における自クロックが遅い（ＰＬＬ１５の発振周波数が低い）ことになるので、０.１Ｈｚ分、自クロックを速くする（ＰＬＬ１５の発振周波数を高くする）。
【００６５】
（Ｂ）１００秒間の通信時間でジッタバッファ１２のバッファオーバーランが発生した場合、０.００１Ｈｚ分、対向の「マスタＶｏＩＰ−ＴＡ」よりも自「スレーブＶｏＩＰ−ＴＡ」における自クロックが遅い（ＰＬＬ１５の発振周波数が低い）ことになるので、０.００１Ｈｚ分、自クロックを速くする（ＰＬＬ１５の発振周波数を高くする）。
【００６６】
（Ｃ）１秒間の通信時間でジッタバッファ１２のバッファアンダーランが発生した場合、０.１Ｈｚ分、対向の「マスタＶｏＩＰ−ＴＡ」よりも自「スレーブＶｏＩＰ−ＴＡ」における自クロックが速い（ＰＬＬ１５の発振周波数が高い）ことになるので、０.１Ｈｚ分、自クロックを遅くする（ＰＬＬ１５の発振周波数を低くする）。
【００６７】
（Ｄ）１００秒間の通信時間でジッタバッファ１２のバッファアンダーランが発生した場合、０.００１Ｈｚ分、対向の「マスタＶｏＩＰ−ＴＡ」よりも自「スレーブＶｏＩＰ−ＴＡ」における自「スレーブＶｏＩＰ−ＴＡ」における自クロックが速い（ＰＬＬ１５の発振周波数が高い）ことになるので、０.００１Ｈｚ分、自クロックを遅くする（ＰＬＬ１５の発振周波数を低くする）。
【００６８】
しかる後、ステップＳ６に復帰して、ジッタバッファ１２のバッファオーバーランまたはバッファアンダーランの発生の監視を継続し、同期完了推定時間閾値としてあらかじめ設定した時間が経過するまでに、ジッタバッファ１２のバッファオーバーランまたはバッファアンダーランが再度発生した場合には、ＰＬＬ１５の発振周波数を再度補正するという動作を繰り返す。
【００６９】
一方、前記同期完了推定時間閾値に相当する時間が経過するまで、ジッタバッファ１２のバッファオーバーランまたはバッファアンダーランが発生しなかった場合には、クロック偏差検出部１９は、「スレーブＶｏＩＰ−ＴＡ」に該当するＶｏＩＰ−ＴＡ１の自クロックが、「マスタＶｏＩＰ−ＴＡ」に該当するＶｏＩＰ−ＴＡ１の基準クロックとの同期化が完了して、クロック偏差がない状態に達したものと推定して、同期化完了の旨を、擬似ＶｏＩＰセッション管理部１６に通知する。該通知を受け取ると、擬似ＶｏＩＰセッション管理部１６は、「マスタＶｏＩＰ−ＴＡ」に該当するＶｏＩＰ−ＴＡ１との間のクロック同期用の擬似ＶｏＩＰセッションを終了させる。
【００７０】
以上のように、本実施形態においては、同一ビジネスフォン主装置２に収容される複数のＶｏＩＰ−ＴＡ１それぞれに、擬似ＶｏＩＰセッション管理部１６、Ｗｅｂ設定画面制御部１７、ＬＡＮインタフェース１８、クロック偏差検出部１９を備えることにより、ＩＰベースで、各ＶｏＩＰ−ＴＡ１間のクロック同期を実施することができ、本発明に関連する現状の技術において必須であったＣＬＫ同期ポートを具備する必要性がなくなり、より経済的なＶｏＩＰ−ＴＡを実現することができる。
【００７１】
つまり、本実施形態においては、ＶｏＩＰ−ＴＡ１の電源投入時に、Ｗｅｂ設定画面制御部１７、ＬＡＮインタフェース１８により、複数のＶｏＩＰ−ＴＡ１のうち、ユーザが指定した１台を「同期される側」のＶｏＩＰ−ＴＡすなわち「マスタＶｏＩＰ−ＴＡ」としてあらかじめ特定し、残りのＶｏＩＰ−ＴＡを「同期する側」のＶｏＩＰ−ＴＡすなわち「スレーブＶｏＩＰ−ＴＡ」としてあらかじめ設定する。さらに、擬似ＶｏＩＰセッション管理部１６により、「スレーブＶｏＩＰ−ＴＡ」として設定された各ＶｏＩＰ−ＴＡ１それぞれと「マスタＶｏＩＰ−ＴＡ」としてあらかじめ特定されたＶｏＩＰ−ＴＡ１との間にクロック同期用の擬似ＶｏＩＰセッションとして同期用ＶｏＩＰセッションを開設した後、クロック偏差検出部１９を起動して、「スレーブＶｏＩＰ−ＴＡ」におけるクロック同期処理を開始させる。
【００７２】
そして、クロック偏差検出部１９において、該同期用の擬似ＶｏＩＰセッションが継続している間、ジッタバッファ１２のバッファオーバーランまたはバッファアンダーランの発生を監視し続け、監視した結果に基づいて「マスタＶｏＩＰ−ＴＡ」の基準クロックとの間のクロック偏差の程度を検出して、該クロック偏差の程度に応じて、自クロックすなわちＰＬＬ１５の発振周波数を補正するという動作を繰り返す。一方、同期完了推定時間閾値としてあらかじめ定めた時間が経過するまでの間、ジッタバッファ１２のバッファオーバーランまたはバッファアンダーランが発生しなかった場合には、自クロックは「マスタＶｏＩＰ−ＴＡ」の基準クロックとのクロック同期が得られたものと判断して、擬似ＶｏＩＰセッション管理部１６により、「スレーブＶｏＩＰ−ＴＡ」と「マスタＶｏＩＰ−ＴＡ」との間の同期用の擬似ＶｏＩＰセッションを開放して、同期化処理を完了する。
【００７３】
かくのごときＩＰベースのクロック同期動作を、同一ビジネスフォン主装置２に収容されているすべてのＶｏＩＰ−ＴＡ１において実施することにより、「マスタＶｏＩＰ−ＴＡ」のクロック（基準クロック）にすべての「スレーブＶｏＩＰ−ＴＡ」の自クロックを同期させることができる。
【００７４】
なお、前述の実施形態においては、図４に示した同期設定Ｗｅｂ画面３０の同期接続先設定欄３２において、「同期される側」のＶｏＩＰ−ＴＡ１すなわち「マスタＶｏＩＰ−ＴＡ」に該当する同期接続先を指定する際に、「マスタＶｏＩＰ−ＴＡ」を示す接続先情報として電話番号を用いている例を示した。しかし、本発明は、かかる場合に限るものではなく、「マスタＶｏＩＰ−ＴＡ」を示す接続先情報として、電話番号の代わりにＩＰアドレスを用いても差し支えない。さらには、「同期する側」のＶｏＩＰ−ＴＡ１すなわち「スレーブＶｏＩＰ−ＴＡ」に該当するＶｏＩＰ−ＴＡ１と、「同期される側」のＶｏＩＰ−ＴＡ１すなわち「マスタＶｏＩＰ−ＴＡ」に該当するＶｏＩＰ−ＴＡ１と、が同一のネットワーク内に存在している場合であれば、「マスタＶｏＩＰ−ＴＡ」を示す接続先情報として、ＭＡＣアドレスを用いても差し支えない。
【００７５】
また、前述の説明においては、クロック偏差検出部１９が、自クロックを補正する、すなわち、ＰＬＬ１５の発振周波数を補正する契機として、同期完了推定時間閾値としてあらかじめ定めた時間が経過するまでに、ジッタバッファ１２のバッファオーバーランまたはバッファアンダーランの発生を検出した場合について説明したが、本発明は、かかる場合に限るものではない。例えば、ジッタバッファ１２に蓄積されるパケット量をあらかじめ定めた時間間隔毎に測定して、蓄積したパケット量の増減速度を算出する。そして、蓄積したパケット量の増減速度が、同期完了推定速度閾値としてあらかじめ定めた増減速度の速度範囲を超えているか否かを判定し、超えていた場合には、蓄積したパケット量の増減速度と同期完了推定速度閾値との両者の速度偏差の大きさに応じて、自クロックを補正する、すなわち、ＰＬＬ１５の発振周波数を補正するようにしても良い。なお、クロック偏差検出部１９が、前記同期完了推定時間閾値に相当する時間が経過するまでの間に、ジッタバッファ１２に蓄積されたパケット量の増減速度が前記同期完了推定速度閾値の速度範囲を超えたことを検出しなかった場合には、自クロックのクロック同期が得られたものと判定し、擬似ＶｏＩＰセッション管理部１６により、「マスタＶｏＩＰ−ＴＡ」との間に設定されていたクロック同期用の擬似ＶｏＩＰセッション管理部１６は、擬似ＶｏＩＰセッションを開放し、クロック同期動作を終了する。
【００７６】
（本実施形態の効果の説明）
以上に詳細に説明したように、本実施形態においては、次のような効果を奏することができる。
【００７７】
同一のビジネスフォン主装置２に複数台のＶｏＩＰ−ＴＡ１を収容する際に、本発明に関連する現状の技術において必須とされているＣＬＫ（クロック）同期ポートを各ＶｏＩＰ−ＴＡ１に具備することなく、各ＶｏＩＰ−ＴＡ１間のクロック同期を確実に取ることができ、各ＶｏＩＰ−ＴＡ１間のクロック偏差によるＢＲＩインタフェースの同期外れを確実に回避することができる。その理由は、クロック同期を行う際の基準のクロックを有する機器すなわち「マスタＶｏＩＰ−ＴＡ」としてあらかじめ特定された１台のＶｏＩＰ−ＴＡ１と、内蔵した自クロックのクロック同期化の対象となる「スレーブＶｏＩＰ−ＴＡ」である他のＶｏＩＰ−ＴＡ１と、の間でクロック同期用の擬似ＶｏＩＰセッションを設定して、ＩＰベースで、各「スレーブＶｏＩＰ−ＴＡ」それぞれに内蔵する自クロックを「マスタＶｏＩＰ−ＴＡ」に備えた基準のクロックに同期させるクロック同期処理を実施していることにある。
【００７８】
而して、本発明においては、ＣＬＫ同期ポート具備によるＶｏＩＰ−ＴＡの装置コストの増加のみならず、ＣＬＫ同期ポート具備に伴う各ＶｏＩＰ−ＴＡの接続工事の手間や接続ケーブルのコスト増加といった、本発明に関連する現状の技術における問題を解消することができる。
【００７９】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００８０】
１      ＶｏＩＰ−ＴＡ
１      ＶｏＩＰ−ＴＡ
２      ビジネスフォン主装置
２Ａ    ビジネスフォン主装置
３      ＶｏＩＰアクセス回線網
４      ＩＳＤＮアクセス回線網
１０    ＷＡＮインタフェース
１０Ａ  ＷＡＮインタフェース
１１    ＲＴＰ制御部
１１Ａ  ＲＴＰ制御部
１２    ジッタバッファ
１２Ａ  ジッタバッファ
１３    Ｃｏｄｅｃ
１３Ａ  Ｃｏｄｅｃ
１４    ＩＳＡＣ（ＢＲＩＦ）
１４Ａ  ＩＳＡＣ（ＢＲＩＦ）
１５    ＰＬＬ
１５Ａ  ＰＬＬ
１６    擬似ＶｏＩＰセッション管理部
１６Ａ  ＣＬＫ同期ポート
１７    Ｗｅｂ設定画面制御部
１８    ＬＡＮインタフェース
１９    クロック偏差検出部
２０    ＢＲＩユニット
２０Ａ  ＢＲＩユニット
３０    同期設定Ｗｅｂ画面
３１    同期種別設定欄
３２    同期接続先設定欄
【図１】
2018166319.tif 000003
【図２】
2018166319.tif 000004
【図３】
2018166319.tif 000005
【図４】
2018166319.tif 000006
【図５】
2018166319.tif 000007
【図６】
2018166319.tif 000008
【図７】
2018166319.tif 000009
【図８】
2018166319.tif 000010